【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
分岐ステントのための展開システムであって、前記システムは、
遠位の第２の脚部および遠位の第３の脚部に接続された近位の第１の脚部を備えている分岐カテーテルであって、前記第２および第３の脚部は、前記第２および第３の脚部にわたって延びている少なくとも１つの分裂可能継目を含む、分岐カテーテルと、
前記分岐カテーテルの前記第１および第２の脚部を通過する第１のガイドワイヤと、前記分岐カテーテルの前記第１および第３の脚部を通過する第２のガイドワイヤとであって、前記第１および第２のガイドワイヤは、前記分岐カテーテルの前記第２および第３の脚部を、異なるが接続された脈管内に導入する、第１および第２のガイドワイヤと、
第４のガイドワイヤおよび第５のガイドワイヤに接続された第３のガイドワイヤを含む分岐ステント展開ガイドワイヤであって、前記第３、第４、および第５のガイドワイヤは、接合点で接続されている、分岐ステント展開ガイドワイヤと、
遠位の第２の脚部および遠位の第３の脚部に接続された近位の第１の脚部を備えている分岐ステントと
を備え、
前記第３のガイドワイヤは、前記分岐ステントの前記第１の脚部内に受け取られ、前記第４のガイドワイヤは、前記分岐ステントの前記第２の脚部内に受け取られ、前記第５のガイドワイヤは、前記分岐ステントの前記第３の脚部内に受け取られ、
前記分岐ステントの前記第２の脚部および前記第４のガイドワイヤは、前記分岐カテーテルの前記第２の脚部内に受け取り可能であり、前記分岐ステントの前記第３の脚部および前記第５のガイドワイヤは、前記分岐カテーテルの前記第３の脚部内に受け取り可能である、展開システム。
【請求項２】
導入カテーテルと、前記導入カテーテルを血管系内に導入するための第６のガイドワイヤとをさらに含み、前記分岐カテーテルおよび分岐ステントは、前記導入カテーテルを通過可能である、請求項１に記載の展開システム。
【請求項３】
前記分裂可能継目は、前記継目に沿って延びている電解材料を備え、前記電解材料は、前記分裂可能継目を分裂させるために、電力供給源と連通している、請求項１に記載の展開システム。
【請求項４】
前記分裂可能継目は、化学物質への暴露によって分裂させられ得る、請求項１に記載の展開システム。
【請求項５】
前記分裂可能継目は、別の化学物質への暴露に応じて、前記分裂可能継目を溶解および分裂させる少なくとも１つの化学物質を含む、請求項１に記載の展開システム。
【請求項６】
前記分裂可能継目は、引っ張られると、前記分裂可能継目を破断するワイヤフィラメントに連結されている、請求項１に記載の展開システム。
【請求項７】
ステントのための展開システムであって、前記システムは、
第１の接合点において第２の脚部および第３の脚部に接続された第１の脚部を備えている分岐カテーテルであって、前記第２および第３の脚部は、前記第２および第３の脚部にわたって延びている少なくとも１つの分裂可能継目を含む、分岐カテーテルと、
前記分岐カテーテルの前記第１、第２、および第３の脚部を、異なるが接続された脈管内に導入するための第１および第２のガイドワイヤと、
第２の接合点において第２の脚部に接続された第１の脚部を備えているステントと、
第３の接合点において第４のガイドワイヤおよび第５のガイドワイヤに接続された第３のガイドワイヤを有する分岐ステント展開ガイドワイヤと
を備え、
前記第３のガイドワイヤは、前記分岐ステントの前記第１の脚部内に受け取られ、前記第４のガイドワイヤおよび前記分岐ステントの第１の脚部は、前記分岐カテーテルの前記第２の脚部内に受け取り可能であり、前記第５のガイドワイヤおよび前記分岐ステントの前記第２の脚部は、前記分岐カテーテルの前記第３の脚部内に受け取り可能である、展開システム。
【請求項８】
導入カテーテルと、前記導入カテーテルを血管系内に導入するための第６のガイドワイヤとをさらに含み、前記分岐カテーテルおよび分岐ステントは、前記導入カテーテルを通過可能である、請求項７に記載の展開システム。
【請求項９】
前記分裂可能継目は、前記継目に沿って延びている電解材料を備え、前記電解材料は、前記分裂可能継目を分裂させるために、電力供給源と連通している、請求項７に記載の展開システム。
【請求項１０】
前記分裂可能継目は、化学物質への暴露によって分裂させられ得る、請求項７に記載の展開システム。
【請求項１１】
前記分裂可能継目は、別の化学物質への暴露に応じて、前記分裂可能継目を溶解および分裂させる少なくとも１つの化学物質を含む、請求項７に記載の展開システム。
【請求項１２】
前記分裂可能継目は、引っ張られると、前記分裂可能継目を破断するワイヤフィラメントに連結されている、請求項１に記載の展開システム。
【請求項１３】
可変密度ステントのための展開システムであって、前記システムは、
少なくとも１つの分裂可能継目を備えている第２の管腔を備えているカテーテルと、
前記カテーテルを血管系内に導入するための第１のガイドワイヤと、
可変密度ステントと
を備えている、システム。
【請求項１４】
分岐ステントを血管系の分岐脈管内に設置するためのシステムであって、前記分岐脈管は、第１の接合点において、第３の枝部内の第２の枝部に接続された第１の枝部を含み、前記第２および第３の枝部は、接続されており、前記システムは、
前記血管系内に導入されるように構成された第１のガイドワイヤと、
前記第１のガイドワイヤの上で、前記血管系内に導入されるように構成された導入カテーテルであって、前記第１のガイドワイヤは、引き抜かれるように構成されている、導入カテーテルと、
第２の接合点において遠位の第２の脚部および遠位の第３の脚部に接続された近位の第１の脚部を含む分岐カテーテルであって、前記分岐カテーテルは、前記分岐カテーテルの前記第２および第３の脚部に沿って延びている分裂可能継目をさらに含む、分岐カテーテルと、
第３の接合点において遠位の第２の脚部および遠位の第３の脚部に接続された近位の第１の脚部を含む分岐ステントと、
前記分岐ステントの前記第１および第２の脚部を通過する第２のガイドワイヤ、および、前記分岐ステントの前記第１および第３の脚部を通過する第３のガイドワイヤと
を備え、
前記分岐ステントおよび第２および第３のガイドワイヤは、前記分岐カテーテル内に挿入されるように構成され、前記分岐ステントの前記第２の脚部は、前記分岐カテーテルの前記第２の脚部内に配置され、前記分岐ステントの前記第３の脚部は、前記分岐カテーテルの前記第３の脚部内に配置され、前記分岐ステントの前記第１の脚部は、前記分岐カテーテルの前記第１の脚部内に配置され、前記第２のガイドワイヤは、前記分岐カテーテルおよび分岐ステントの前記第１の脚部と、前記分岐カテーテルおよび分岐ステントの前記第２の脚部とを通過し、前記第３のガイドワイヤは、前記分岐カテーテルおよび分岐ステントの前記第１の脚部と、前記分岐カテーテルおよび分岐ステントの前記第３の脚部とを通過し、
前記分岐カテーテルと、分岐ステントと、第２および第３のガイドワイヤとは、前記導入カテーテルを通して前記分岐脈管に向かって挿入されるように構成され、前記分岐カテーテルおよび分岐ステントの前記第２の脚部と前記第２のガイドワイヤとは、前記分岐脈管の前記第２の枝部内に位置付けられるように構成され、前記分岐カテーテルおよび分岐ステントの前記第３の脚部と前記第３のガイドワイヤとは、前記分岐脈管の前記第３の枝部内に位置付けられるように構成されており、
前記分岐カテーテルの継目は、分裂させられるように構成されており、
前記分岐カテーテルは、引き抜かれるように構成されており、
前記分岐ステントは、前記分岐脈管の前記第１、第２、および第３の枝部の内部表面に対して拡張することを可能にされるように構成されており、
前記第２および第３のガイドワイヤは、引き抜かれるように構成されている、システム。
【請求項１５】
前記分岐カテーテルの継目を分裂させることに先立って、および前記第２および第３のガイドワイヤを引き抜くことに先立って、前記第３の接合点は、前記第２の接合点内に配置され、前記第２の接合点は、前記第１の接合点内に配置されている、請求項１４に記載のシステム。
【手続補正２】
【補正対象書類名】明細書
【補正対象項目名】００２０
【補正方法】変更
【補正の内容】
【００２０】
他の利点および特徴は、添付の図面と併せて熟読されることによって、以下の発明を実施するための形態から明白となり得る。
本願明細書は、例えば、以下の項目も提供する。
（項目１）
分岐ステントのための展開システムであって、前記システムは、
遠位の第２の脚部および遠位の第３の脚部に接続された近位の第１の脚部を備えている分岐カテーテルであって、前記第２および第３の脚部は、前記第２および第３の脚部にわたって延びている少なくとも１つの分裂可能継目を含む、分岐カテーテルと、
前記分岐カテーテルの前記第１および第２の脚部を通過する第１のガイドワイヤと、前記分岐カテーテルの前記第１および第３の脚部を通過する第２のガイドワイヤとであって、前記第１および第２のガイドワイヤは、前記分岐カテーテルの前記第２および第３の脚部を、異なるが接続された脈管内に導入する、第１および第２のガイドワイヤと、
第４のガイドワイヤおよび第５のガイドワイヤに接続された第３のガイドワイヤを含む分岐ステント展開ガイドワイヤであって、前記第３、第４、および第５のガイドワイヤは、接合点で接続されている、分岐ステント展開ガイドワイヤと、
遠位の第２の脚部および遠位の第３の脚部に接続された近位の第１の脚部を備えている分岐ステントと
を備え、
前記第３のガイドワイヤは、前記分岐ステントの前記第１の脚部内に受け取られ、前記第４のガイドワイヤは、前記分岐ステントの前記第２の脚部内に受け取られ、前記第５のガイドワイヤは、前記分岐ステントの前記第３の脚部内に受け取られ、
前記分岐ステントの前記第２の脚部および前記第４のガイドワイヤは、前記分岐カテーテルの前記第２の脚部内に受け取り可能であり、前記分岐ステントの前記第３の脚部および前記第５のガイドワイヤは、前記分岐カテーテルの前記第３の脚部内に受け取り可能である、展開システム。
（項目２）
導入カテーテルと、前記導入カテーテルを血管系内に導入するための第６のガイドワイヤとをさらに含み、前記分岐カテーテルおよび分岐ステントは、前記導入カテーテルを通過可能である、項目１に記載の展開システム。
（項目３）
前記分裂可能継目は、前記継目に沿って延びている電解材料を備え、前記電解材料は、前記分裂可能継目を分裂させるために、電力供給源と連通している、項目１に記載の展開システム。
（項目４）
前記分裂可能継目は、化学物質への暴露によって分裂させられる、項目１に記載の展開システム。
（項目５）
前記分裂可能継目は、別の化学物質への暴露に応じて、前記分裂可能継目を溶解および分裂させる少なくとも１つの化学物質を含む、項目１に記載の展開システム。
（項目６）
前記分裂可能継目は、引っ張られると、前記分裂可能継目を破断するワイヤフィラメントに連結されている、項目１に記載の展開システム。
（項目７）
ステントのための展開システムであって、前記システムは、
第１の接合点において第２の脚部および第３の脚部に接続された第１の脚部を備えている分岐カテーテルであって、前記第２および第３の脚部は、前記第２および第３の脚部にわたって延びている少なくとも１つの分裂可能継目を含む、分岐カテーテルと、
前記分岐カテーテルの前記第１、第２、および第３の脚部を、異なるが接続された脈管内に導入するための第１および第２のガイドワイヤと、
第２の接合点において第２の脚部に接続された第１の脚部を備えているステントと、
第３の接合点において第４のガイドワイヤおよび第５のガイドワイヤに接続された第３のガイドワイヤを有する分岐ステント展開ガイドワイヤと
を備え、
前記第３のガイドワイヤは、前記分岐ステントの前記第１の脚部内に受け取られ、前記第４のガイドワイヤおよび前記分岐ステントの第１の脚部は、前記分岐カテーテルの前記第２の脚部内に受け取り可能であり、前記第５のガイドワイヤおよび前記分岐ステントの前記第２の脚部は、前記分岐カテーテルの前記第３の脚部内に受け取り可能である、展開システム。
（項目８）
導入カテーテルと、前記導入カテーテルを血管系内に導入するための第６のガイドワイヤとをさらに含み、前記分岐カテーテルおよび分岐ステントは、前記導入カテーテルを通過可能である、項目７に記載の展開システム。
（項目９）
前記分裂可能継目は、前記継目に沿って延びている電解材料を備え、前記電解材料は、前記分裂可能継目を分裂させるために、電力供給源と連通している、項目７に記載の展開システム。
（項目１０）
前記分裂可能継目は、化学物質への暴露によって分裂させられる、項目７に記載の展開システム。
（項目１１）
前記分裂可能継目は、別の化学物質への暴露に応じて、前記分裂可能継目を溶解および分裂させる少なくとも１つの化学物質を含む、項目７に記載の展開システム。
（項目１２）
前記分裂可能継目は、引っ張られると、前記分裂可能継目を破断するワイヤフィラメントに連結されている、項目１に記載の展開システム。
（項目１３）
可変密度ステントのための展開システムであって、前記システムは、
少なくとも１つの分裂可能継目を備えている第２の管腔を備えているカテーテルと、
前記カテーテルを血管系内に導入するための第１のガイドワイヤと、
可変密度ステントと
を備えている、システム。
（項目１４）
分岐ステントを血管系の分岐脈管内に設置する方法であって、前記方法は、
前記血管系内の分岐脈管の位置を特定することであって、前記分岐脈管は、第１の接合点において、第３の枝部内の第２の枝部に接続された第１の枝部を含み、前記第２および第３の枝部は、接続されている、ことと、
第１のガイドワイヤを前記血管系内に導入することと、
導入カテーテルを前記第１のガイドワイヤの上で、前記血管系内に導入することと、
前記第１のガイドワイヤを引き抜くことと、
第２の接合点において遠位の第２の脚部および遠位の第３の脚部に接続された近位の第１の脚部を含む分岐カテーテルを提供することであって、前記分岐カテーテルは、前記分岐カテーテルの前記第２および第３の脚部に沿って延びている分裂可能継目をさらに含む、ことと、
第３の接合点において遠位の第２の脚部および遠位の第３の脚部に接続された近位の第１の脚部を含む分岐ステントを提供することと、
前記分岐ステントの前記第１および第２の脚部を通過する第２のガイドワイヤと、前記分岐ステントの前記第１および第３の脚部を通過する第３のガイドワイヤとを提供することと、
前記分岐ステントおよび第２および第３のガイドワイヤを前記分岐カテーテル内に挿入することであって、前記分岐ステントの前記第２の脚部は、前記分岐カテーテルの前記第２の脚部内に配置され、前記分岐ステントの前記第３の脚部は、前記分岐カテーテルの前記第３の脚部内に配置され、前記分岐ステントの前記第１の脚部は、前記分岐カテーテルの前記第１の脚部内に配置され、前記第２のガイドワイヤは、前記分岐カテーテルおよび分岐ステントの前記第１の脚部と、前記分岐カテーテルおよび分岐ステントの前記第２の脚部とを通過し、前記第３のガイドワイヤは、前記分岐カテーテルおよび分岐ステントの前記第１の脚部と、前記分岐カテーテルおよび分岐ステントの前記第３の脚部とを通過する、ことと、
前記分岐カテーテルと、分岐ステントと、第２および第３のガイドワイヤとを前記導入カテーテルを通して前記分岐脈管に向かって挿入し、前記分岐カテーテルおよび分岐ステントの前記第２の脚部と前記第２のガイドワイヤとを前記分岐脈管の前記第２の枝部内に位置付け、前記分岐カテーテルおよび分岐ステントの前記第３の脚部と前記第３のガイドワイヤとを前記分岐脈管の前記第３の枝部内に位置付けることと、
前記分岐カテーテルの継目を分裂させることと、
前記分岐カテーテルを引き抜くことと、
前記分岐ステントが前記分岐脈管の前記第１、第２、および第３の枝部の内部表面に対して拡張することを可能にすることと、
前記第２および第３のガイドワイヤを引き抜くことと
を含む、方法。
（項目１５）
前記分岐カテーテルの継目を分裂させることに先立って、および前記第２および第３のガイドワイヤを引き抜くことに先立って、前記第３の接合点は、前記第２の接合点内に配置され、前記第２の接合点は、前記第１の接合点内に配置される、項目１４に記載の方法。